(57)【特許請求の範囲】
【請求項１】
ＥＣＧリード線セットを互換性のないＥＣＧモニタに結合するＥＣＧアダプタシステムであって、
該ＥＣＧアダプタシステムは、少なくとも１つのＥＣＧアダプタを備え、該少なくとも１つのＥＣＧアダプタは、アダプタ本体を含み、該アダプタ本体は、少なくとも１つの特定のモニタコネクタと、該少なくとも１つの特定のモニタコネクタとは異なる少なくとも１つの標準的なリード線セットレセプタクルとを有し、該少なくとも１つの特定のモニタコネクタは、ＥＣＧモニタの特定の入力に結合するように適合されており、該少なくとも１つの標準的なリード線セットレセプタクルは、該ＥＣＧモニタの該特定の入力と互換性のないＥＣＧリード線セットの標準的なコネクタに結合するように適合されており、
該少なくとも１つのＥＣＧアダプタは、第１のＥＣＧアダプタおよび第２のＥＣＧアダプタを含み、該第１のＥＣＧアダプタの該アダプタ本体の該少なくとも１つの特定のモニタコネクタは、該第２のＥＣＧアダプタの該アダプタ本体の該少なくとも１つの特定のモニタコネクタとは異なり、該第１のＥＣＧアダプタおよび該第２のＥＣＧアダプタは、異なるＥＣＧモニタの異なる特定の入力に結合する、ＥＣＧアダプタシステム。
【請求項２】
前記少なくとも１つの特定のモニタコネクタは、プラグを備えており、前記少なくとも１つの標準的なコネクタは、レセプタクルを備えている、請求項１に記載のＥＣＧアダプタシステム。
【請求項３】
前記アダプタ本体の前記少なくとも１つの標準的なリード線セットレセプタクルは、前記ＥＣＧリード線セットのＲＪ２５コネクタおよびＲＪ４５コネクタのうちの１つに結合するよう適合されている、請求項２に記載のＥＣＧアダプタシステム。
【請求項４】
前記アダプタ本体は、第１および第２のＥＣＧリード線セットのそれぞれの第１および第２の標準的なコネクタの接続部に結合するための第１および第２の標準的なリード線セットレセプタクルを含む、請求項１に記載のＥＣＧアダプタシステム。
【請求項５】
前記第１の標準的なリード線セットレセプタクルは、異なるＥＣＧリード線セットに結合することを可能にするために前記第２の標準的なリード線セットレセプタクルとは異なる、請求項４に記載のＥＣＧアダプタシステム。
【請求項６】
前記アダプタ本体の前記第１の標準的なリード線セットレセプタクルは、前記第１のＥＣＧリード線セットのＲＪ２５コネクタに結合するように適合されており、該アダプタ本体の前記第２の標準的なリード線セットレセプタクルは、前記第２のＥＣＧリード線セットのＲＪ４５コネクタに結合するように適合されている、請求項５に記載のＥＣＧアダプタシステム。
【請求項７】
前記少なくとも１つのリード線セットは、複数のワイヤを含み、該複数のワイヤの少なくとも一部は、少なくとも１つのリボンケーブルを形成する、請求項１に記載のＥＣＧアダプタシステム。
【請求項８】
前記少なくとも１つのリボンケーブルを形成する前記複数のワイヤのうちの少なくとも１つは、該少なくとも１つのリボンケーブルから分離可能である、請求項７に記載のＥＣＧアダプタシステム。
【請求項９】
システムであって、該システムは、
複数のＥＣＧモニタであって、各ＥＣＧモニタは、その他の特定の入力とは異なる特定の入力を有する、複数のＥＣＧモニタと、
標準的なコネクタを含むＥＣＧリード線セットであって、該標準的なコネクタは、該複数のＥＣＧモニタの各々の該特定の入力と互換性がない、ＥＣＧリード線セットと、
複数のＥＣＧアダプタであって、各ＥＣＧアダプタは、その他の特定のモニタコネクタとは異なる特定のモニタコネクタを含み、各特定のモニタコネクタは、該複数のＥＣＧモニタのうちの１つの該特定の入力に結合するように適合されており、各ＥＣＧアダプタ本体は、該ＥＣＧリード線セットの該標準的なコネクタに結合するように適合された標準的なリード線セットレセプタクルをさらに含む、複数のＥＣＧアダプタと
を備えている、システム。
【請求項１０】
前記ＥＣＧリード線セットの前記標準的なコネクタは、該ＥＣＧリード線セットのＲＪ２５コネクタおよびＲＪ４５コネクタのうちの１つである、請求項９に記載のシステム。
【請求項１１】
前記各ＥＣＧアダプタは、アダプタ本体を含み、該アダプタ本体は、その第１の端部に配置された特定のモニタコネクタと、その第２の端部に配置された標準的なリード線セットレセプタクルとを有する、請求項９に記載のシステム。
【請求項１２】
前記ＥＣＧリード線セットは、複数のワイヤを含み、該複数のワイヤの少なくとも一部分は、少なくとも１つのリボンケーブルを形成する、請求項９に記載のシステム。
【請求項１３】
前記ＥＣＧリード線セットの各ワイヤは、その自由端部に配置された電極を含む、請求項９に記載のシステム。
【請求項１４】
システムであって、該システムは、
複数の入力を含むＥＣＧモニタと、
該複数の入力の各々と互換性のないコネクタを含むＥＣＧリード線セットと、
該ＥＣＧモニタの該複数の入力にそれぞれ接続するように適合された複数のモニタコネクタを含むＥＣＧアダプタであって、該ＥＣＧアダプタは、該ＥＣＧリード線セットと該ＥＣＧモニタとを結合するために、該ＥＣＧリード線セットの該コネクタに接続するように適合されたＥＣＧリード線セットレセプタクルをさらに含む、ＥＣＧアダプタと
を備えている、システム。
【請求項１５】
前記ＥＣＧモニタは、第１および第２の入力を含み、前記ＥＣＧアダプタは、該第１および第２の入力のそれぞれに接続するように適合された第１および第２のモニタコネクタを含む、請求項１４に記載のシステム。
【請求項１６】
前記ＥＣＧアダプタは、アダプタ本体を含み、該アダプタ本体は、前記ＥＣＧリード線セットレセプタクルと、該アダプタ本体を前記第１および第２のモニタコネクタに相互接続する第１および第２のケーブルとを含む、請求項１５に記載のシステム。
【請求項１７】
前記ＥＣＧリード線セットレセプタクルは、前記ＥＣＧリード線セットのＲＪ２５コネクタおよびＲＪ４５コネクタのうちの１つに結合するように適合されている、請求項１４に記載のシステム。
【発明の詳細な説明】
【技術分野】
【０００１】
本開示は、医療用機器に関する。特に、本開示は、ＥＣＧリード線セット、アダプタシステムおよびＥＣＧ信号を監視または記録する、ＥＣＧリード線セットと互換性のないＥＣＧデバイスとを結合させる方法に関し、該ＥＣＧデバイスは、下文に、集合的に「ＥＣＧモニタ」と呼ばれる。
【背景技術】
【０００２】
心電計（ＥＣＧ）モニタは、心臓および肺のシステムに関連した電気活動を示す情報を含む、生体電位信号を取得するために幅広く用いられる。生体電位信号を取得するために、ＥＣＧ電極は、患者の皮膚に、様々な位置において適用され、ＥＣＧモニタに結合される。電極の配置は、臨床医によって調べられる情報に依存する。
【０００３】
患者へのＥＣＧ電極の配置は、医療用プロトコルによって確立されている。最も一般的なプロトコルは、３本リード線、５本リード線、または１２本リード線の構成による電極の配置を要求する。３本リード線の構成は、３つの電極の配置を要求し、電極を１つずつ、上胸部の各鎖骨に隣接させて、３つ目の電極を患者の下腹部の左側に隣接させる。５本のリード線の構成は、３本リード線の構成における３つの電極の配置に加えて、第４の電極を胸骨に隣接させ、第５の電極を患者の下腹部の右側に隣接させる。１２本のリード線の構成は、患者の身体に１０個の電極の配置を必要とする。４つの電極は、患者の肢を表し、左腕電極（ＬＡリード線）、右腕電極（ＲＡリード線）、左脚電極（ＬＬリード線）および右脚電極（ＲＬリード線）を含む。６つの胸部の電極（Ｖ１〜Ｖ６リード線）は、心臓付近の様々な位置において、患者の胸部に配置される。３つの標準的な肢リード線は、右腕と左腕との間（リード線Ｉ）、右腕と左脚との間（リード線ＩＩ）、および左腕と左脚との間（リード線ＩＩＩ）の計測から構成される。１０個の電極は、リード線Ｉ、ＩＩ、ＩＩＩ、ＡＶＬ、ＡＶＲ、ＡＶＦ、およびＶ１〜Ｖ６から成り、右脚の電極は通常は接地として用いられる、１２の計測点を提供する。
【０００４】
電極は、患者に配置した後に、ＥＣＧリード線セットによってＥＣＧモニタに接続する。患者に最も近いＥＣＧリード線セットの一端は、各電極に接続し（あるいは、電極はＥＣＧリード線セットの遠位端に統合され得る）、体から生体電位信号を受信する。ＥＣＧリード線セットのもう一端は、ＥＣＧ入力コネクタに接続し、体から受信された生体電位信号をＥＣＧモニタに供給する。
【０００５】
ＥＣＧモニタおよびＥＣＧリード線セットは、様々な会社によって製造および販売されている。ＥＣＧ電極をつけることに関してプロトコルが確立されているが、様々な製造業者は典型的には、製品独自のコネクタおよび配線構成を用いる。
【０００６】
ＥＣＧリード線セットおよびＥＣＧモニタが電気的に互換性はないが機械的に互換性のあるコネクタを有する場合、問題がおきる。モニタによって自動的に検出され得る問題もあるが、例えば、Ｖ１〜Ｖ６の不正確な順序などの検出され得ない問題もあり、ＥＣＧモニタは臨床医に誤った情報を提供し得る。
【０００７】
一部のＥＣＧモニタは、ＥＣＧモニタと同じ製造業者によって製造、流通および販売されるＥＣＧリード線セットの特定なタイプまたはファミリーに接続するように構成される。ＥＣＧモニタ、およびＥＣＧリード線セットの特定なタイプまたはファミリーは、安全特徴として、特定のＥＣＧモニタのみに互換性があり、他のすべてのＥＣＧリード線セットに互換性のない、固有または専用のコネクタを用い得る。
【０００８】
この安全特徴は、臨床医が互換性のないリード線セットをＥＣＧモニタに誤って接続することを防ぐが、このことは、各医療機関が医療機関内で用いられる様々なＥＣＧモニタに対して複数のＥＣＧリード線セットを用意することを要求する。
【０００９】
本出願は、ＥＣＧリード線セットと、アダプタシステムと、および任意の互換性のないＥＣＧモニタに標準のＥＣＧリード線セットを結合する方法であって、従って上記の問題を防ぐ方法とを提供する。
【発明の概要】
【課題を解決するための手段】
【００１０】
（概要）
本開示は、医療用機器に関する。特に、本開示は、ＥＣＧリード線セット、アダプタシステムおよびＥＣＧリード線セットと互換性のないＥＣＧモニタとを結合する方法に関する。
【００１１】
一実施形態に従って、互換性のないＥＣＧリード線セットにＥＣＧモニタを結合する方法は、少なくとも１つのモニタコネクタおよび少なくとも１つのリード線セットレセプタクルを有するアダプタ本体を含むＥＣＧアダプタを提供するステップと、ＥＣＧモニタの入力にアダプタ本体のモニタコネクタを結合するステップと、ＥＣＧリード線セットのコネクタにアダプタ本体のリード線セットレセプタクルを結合するステップであって、それによってＥＣＧモニタにＥＣＧリード線セットを電気的に結合するステップとを包含する。少なくとも１つのモニタコネクタは、ＥＣＧモニタの入力に結合するように適合され得る。少なくとも１つのリード線セットレセプタクルは、ＥＣＧモニタの入力と互換性のないＥＣＧリード線セットのコネクタに結合するように適合される。
【００１２】
少なくとも１つのリード線セットレセプタクルを結合するステップは、ＥＣＧリード線セットの６線式Ｒｅｇｉｓｔｅｒｅｄ  Ｊａｃｋ（ＲＪ２５）型（またはモジュラ）コネクタおよび８線式（ＲＪ４５）コネクタのうちの１つを接続することを含み得る。
【００１３】
本開示のさらなる実施形態において、アダプタ本体は、第１および第２のリード線セットレセプタクルを含み、少なくとも１つのリード線セットレセプタクルを結合するステップは、第１および第２のリード線セットレセプタクルのそれぞれに第１および第２のＥＣＧリード線セットを結合すること含む。少なくとも１つのリード線セットレセプタクルを結合するステップは、第１のリード線セットレセプタクルに第１のＥＣＧリード線セットのＲＪ２５コネクタを接続すること、および第２のリード線セットレセプタクルに第２のＥＣＧリード線セットのＲＪ４５コネクタを接続することを含み得る。
【００１４】
本開示のさらに別の実施形態において、互換性のないＥＣＧモニタにＥＣＧリード線セットを結合するＥＣＧアダプタシステムは、少なくとも１つのモニタコネクタおよび少なくとも１つのリード線セットレセプタクルを有する少なくとも１つのＥＣＧアダプタを含む。少なくとも１つのモニタコネクタは、ＥＣＧモニタの入力に結合するように適合される。少なくとも１つのリード線セットレセプタクルは少なくとも１つのモニタコネクタとは異なり、ＥＣＧモニタの入力と互換性のないＥＣＧリード線セットのコネクタに結合するように適合される。少なくとも１つのモニタコネクタはプラグであり得、少なくとも１つのコネクタはレセプタクルであり得る。プラグおよび／またはレセプタクルは、ＥＣＧリード線セットのＲＪ２５コネクタおよびＲＪ４５コネクタのうちの１つであり得る。
【００１５】
アダプタ本体は、第１および第２のＥＣＧリード線セットのそれぞれの接続部に結合するための第１および第２のリード線セットレセプタクルを含み得る。第１のリード線セットレセプタクルは、異なるＥＣＧリード線セットに結合することを可能にするために、第２のリード線セットレセプタクルとは異なる。アダプタ本体の第１のリード線セットレセプタクルは第１のＥＣＧリード線セットのＲＪ２５コネクタに結合するように適合され得、アダプタ本体の第２のリード線セットレセプタクルは第２のＥＣＧリード線セットのＲＪ４５コネクタに結合するように適合され得る。
【００１６】
さらなる実施形態において、ＥＣＧアダプタシステムは第１および第２のＥＣＧアダプタを含み得る。第１のＥＣＧアダプタのアダプタ本体の少なくとも１つのモニタコネクタは、第２のＥＣＧアダプタのアダプタ本体の少なくとも１つのモニタコネクタとは異なり得る。第１および第２のＥＣＧアダプタは異なるＥＣＧモニタの入力に結合し得る。
【００１７】
少なくとも１つのリード線セットの複数のワイヤの少なくとも一部は、少なくとも１つのリボンケーブルを形成し得る。少なくとも１つのリボンケーブルを形成する複数のワイヤのうちの少なくとも１つは、少なくとも１つのリボンケーブルから分離可能であり得る。
【００１８】
本開示のさらに別の実施形態において、ＥＣＧリード線セットシステムは、複数の電極に結合するための複数のリード線を含むＥＣＧリード線セットと、ＥＣＧリード線セットの一端に結合されたプラグコネクタと、ＥＣＧモニタの入力にプラグコネクタを結合するように適合されたアダプタとを含む。アダプタは、ＥＣＧリード線セットのプラグコネクタに結合するためのリード線セットレセプタクル、および該プラグコネクタとは異なるモニタプラグをＥＣＧモニタの入力に結合するために有するアダプタ本体を含み得る。
【００１９】
ＥＣＧリード線セットシステムは、ＥＣＧリード線セットのもう一端に結合された電極コネクタを含み得る。電極コネクタは、スナップコネクタ、ワイヤダンベルコネクタ、ロッキングスロットコネクタおよびキーホールコネクタから成るグループから選択され得る。ＥＣＧリード線セットシステムは、ＥＣＧリード線セットの電極コネクタに接続された少なくとも１つのＥＣＧ電極をさらに含み得る。あるいは、少なくとも１つのＥＣＧ電極は、ＥＣＧリード線セットのもう一端に予備配線され得る。
【００２０】
ＥＣＧリード線セットシステムは、ＥＣＧリード線セットの少なくとも一部を収納するシースをさらに含み得る。
【００２１】
本開示のさらなる実施形態において、ＥＣＧリード線セットの複数のリード線の少なくとも一部は、リボンケーブルを形成し得る。リボンケーブルを形成する複数のリード線の１つの少なくとも一部は、リボンケーブルから分離可能である。
【００２２】
本発明は、さらに以下の手段を提供する。
【００２３】
(項目１)
ＥＣＧモニタを互換性のないＥＣＧリード線セットに結合する方法であって、
ＥＣＧモニタの入力に結合するように適合された少なくとも１つのモニタコネクタ、および該ＥＣＧモニタの該入力と互換性のないＥＣＧリード線セットのコネクタに結合するように適合された少なくとも１つのリード線セットレセプタクルを有するアダプタ本体を含むＥＣＧアダプタを提供する、ステップと、
該ＥＣＧモニタの該入力に該アダプタ本体の該少なくとも１つのモニタコネクタを結合するステップと、
該ＥＣＧリード線セットの該コネクタに該アダプタ本体の該少なくとも１つのリード線セットレセプタクルを結合し、それによって該ＥＣＧモニタに該ＥＣＧリード線セットを電気的に結合する、ステップと
を包含する、方法。
【００２４】
(項目２)
上記少なくとも１つのリード線セットレセプタクルを結合する上記ステップは、上記ＥＣＧリード線セットの６線式Ｒｅｇｉｓｔｅｒｅｄ  Ｊａｃｋ（ＲＪ）コネクタおよび８線式ＲＪコネクタを含む、項目１に記載の方法。
【００２５】
(項目３)
上記少なくとも１つのリード線セットレセプタクルを結合する上記ステップは、上記ＥＣＧリード線セットのＲＪ２５コネクタおよびＲＪ４５コネクタのうちの１つを接続することを含む、項目１に記載の方法。
【００２６】
(項目４)
上記アダプタ本体は、第１および第２のリード線セットレセプタクルを含み、上記少なくとも１つのリード線セットレセプタクルを結合する上記ステップは、該第１および第２のリード線セットレセプタクルのそれぞれに第１および第２のＥＣＧリード線セットを結合することを含む、項目１に記載の方法。
【００２７】
(項目５)
上記少なくとも１つのリード線セットレセプタクルを結合する上記ステップは、上記第１のリード線セットレセプタクルに上記第１のＥＣＧリード線セットのＲＪ２５コネクタを接続すること、および上記第２のリード線セットレセプタクルに上記第２のＥＣＧリード線セットのＲＪ４５コネクタを接続することを含む、項目４に記載の方法。
【００２８】
(項目６)
ＥＣＧリード線セットを互換性のないＥＣＧモニタに結合するＥＣＧアダプタシステムであって、
ＥＣＧモニタの入力に結合するように適合された少なくとも１つのモニタコネクタ、および該少なくとも１つのモニタコネクタとは異なり、該ＥＣＧモニタの該入力と互換性のないＥＣＧリード線セットのコネクタに結合するように適合された少なくとも１つのリード線セットレセプタクを有するアダプタ本体を含む、少なくとも１つのＥＣＧアダプタ
を備えている、システム。
【００２９】
(項目７)
上記少なくとも１つのモニタコネクタはプラグを備えており、該少なくとも１つのコネクタはレセプタクルを備えている、項目６に記載のＥＣＧアダプタシステム。
【００３０】
(項目８)
上記アダプタ本体の上記少なくとも１つのリード線セットレセプタクルは、上記ＥＣＧリード線セットのＲＪ２５コネクタおよびＲＪ４５コネクタのうちの１つに結合するよう適合される、項目７に記載のＥＣＧアダプタシステム。
【００３１】
(項目９)
上記アダプタ本体は、第１および第２のＥＣＧリード線セットのそれぞれの接続部に結合するための第１および第２のリード線セットレセプタクルを含む、項目６に記載のＥＣＧアダプタシステム。
【００３２】
(項目１０)
上記第１のリード線セットレセプタクルは、異なるＥＣＧリード線セットに結合することを可能にするために上記第２のリード線セットレセプタクルとは異なる、項目９に記載のＥＣＧアダプタシステム。
【００３３】
(項目１１)
上記アダプタ本体の上記第１のリード線セットレセプタクルは、上記第１のＥＣＧリード線セットのＲＪ２５コネクタに結合するように適合され、該アダプタ本体の上記第２のリード線セットレセプタクルは、上記第２のＥＣＧリード線セットのＲＪ４５コネクタに結合するように適合される、項目１０に記載のＥＣＧアダプタシステム。
【００３４】
(項目１２)
上記ＥＣＧアダプタシステムであって、該ＥＣＧアダプタシステムは第１および第２のＥＣＧアダプタを含み、該第１のＥＣＧアダプタの上記アダプタ本体の上記少なくとも１つのモニタコネクタは該第２のＥＣＧアダプタの該アダプタ本体の該少なくとも１つのモニタコネクタとは異なり、該第１および第２のＥＣＧアダプタは異なるＥＣＧモニタの入力に結合する、項目６に記載のＥＣＧアダプタシステム。
【００３５】
(項目１３)
上記少なくとも１つのリード線セットは複数のワイヤを含み、該複数のワイヤの少なくとも一部は少なくとも１つのリボンケーブルを形成する、項目６に記載のＥＣＧアダプタシステム。
【００３６】
(項目１４)
上記少なくとも１つのリボンケーブルを形成する上記複数のワイヤのうちの少なくとも１つは該少なくとも１つのリボンケーブルから分離可能である、項目１３に記載のＥＣＧアダプタシステム。
【００３７】
(項目１５)
ＥＣＧリード線セットシステムであって、
複数の電極を結合するための複数のリード線ワイヤを含むＥＣＧリード線セットと、
該ＥＣＧリード線セットの一端に結合されたプラグコネクタと、
ＥＣＧモニタの入力に該プラグコネクタを結合するように適合されたアダプタと
を備えている、システム。
【００３８】
(項目１６)
上記アダプタは、上記ＥＣＧリード線セットの上記プラグコネクタに結合するためのリード線セットレセプタクル、および該プラグコネクタとは異なるモニタプラグを上記ＥＣＧモニタの上記入力に結合するために有するアダプタ本体を含む、項目１５に記載のＥＣＧリード線セットシステム。
【００３９】
(項目１７)
上記ＥＣＧリード線セットのもう一端に接続された電極コネクタを含む、項目１６に記載のＥＣＧリード線セットシステム。
【００４０】
(項目１８)
上記ＥＣＧリード線セットの上記電極コネクタは、スナップコネクタ、ワイヤダンベルコネクタ、およびロッキングスロットコネクタから成るグループ選択される、項目１７に記載のＥＣＧリード線セットシステム。
【００４１】
(項目１９)
上記ＥＣＧリード線セットの上記電極コネクタに接続された少なくとも１つのＥＣＧ電極をさらに備えている、項目１７に記載のＥＣＧリード線セットシステム。
【００４２】
(項目２０)
上記ＥＣＧリード線セットのもう一端に予め配線された少なくとも１つのＥＣＧ電極をさらに備えている、項目１５に記載のＥＣＧリード線セットシステム。
【００４３】
(項目２１)
上記ＥＣＧリード線セットの少なくとも一部を収納するためのシースを含む、項目１５に記載のＥＣＧリード線セットシステム。
【００４４】
(項目２２)
上記ＥＣＧリード線セットの複数のリード線の少なくとも一部はリボンケーブルを形成する、項目１５に記載のＥＣＧリード線セットシステム。
【００４５】
(項目２３)
上記リボンケーブルを形成する複数のワイヤのうちの１つの少なくとも一部は該リボンケーブルから分離可能である、項目２２に記載のＥＣＧアダプタシステム。
【００４６】
（摘要）
ＥＣＧモニタを互換性のないＥＣＧリード線セットに結合する方法は、ＥＣＧモニタの入力に結合するように適合された少なくとも１つのモニタコネクタ、およびＥＣＧモニタの入力と互換性のないＥＣＧリード線セットのコネクタに結合するように適合された少なくとも１つのリード線セットレセプタクルを有するアダプタ本体を含むＥＣＧアダプタを提供するステップと、ＥＣＧモニタの入力にアダプタ本体の少なくとも１つのモニタコネクタを結合するステップと、ＥＣＧリード線セットのコネクタにアダプタ本体の少なくとも１つのリード線セットレセプタクルを結合し、それによってＥＣＧモニタにＥＣＧリード線セットを電気的に結合する、ステップとを含む。
【図面の簡単な説明】
【００４７】
【図１】図１は、本明細書に従った、ＥＣＧアダプタシステムを組み込むＥＣＧモニタリングシステムの模式図である。
【図２Ａ】図２Ａは、図１のＥＣＧアダプタシステムからのアダプタのバリエーションの模式図である。
【図２Ｂ】図２Ｂは、図１のＥＣＧアダプタシステムからのアダプタのバリエーションの模式図である。
【図２Ｃ】図２Ｃは、図１のＥＣＧアダプタシステムからのアダプタのバリエーションの模式図である。
【図３Ａ】図３Ａは、本開示のＥＣＧアダプタシステムを形成するために用いられ得る、様々な電極コネクタおよび電極の模式図である。
【図３Ｂ】図３Ｂは、本開示のＥＣＧアダプタシステムを形成するために用いられ得る、様々な電極コネクタおよび電極の模式図である。
【図３Ｃ】図３Ｃは、本開示のＥＣＧアダプタシステムを形成するために用いられ得る、様々な電極コネクタおよび電極の模式図である。
【図３Ｄ】図３Ｄは、本開示のＥＣＧアダプタシステムを形成するために用いられ得る、様々な電極コネクタおよび電極の模式図である。
【図３Ｅ】図３Ｅは、本開示のＥＣＧアダプタシステムを形成するために用いられ得る、様々な電極コネクタおよび電極の模式図である。
【図３Ｆ】図３Ｆは、本開示のＥＣＧアダプタシステムを形成するために用いられ得る、様々な電極コネクタおよび電極の模式図である。
【図４Ａ】図４Ａは、リード線ワイヤが、分離可能なリボンケーブルを形成している、本開示のＥＣＧアダプタシステムの別の実施形態の模式図である。
【図４Ｂ】図４Ｂは、患者に取り付けられた、図４ＡのＥＣＧアダプタシステムを例示する。
【発明を実施するための形態】
【００４８】
本開示の様々な実施形態は、図面を参照しながら本明細書中に記述される。
【００４９】
本開示の特定の実施形態は、添付の図面を参照しながら、以下の本明細書中に記述される。以下の記述において、周知の機能または構造は、不必要な詳細で本開示を不明瞭にすることを避けるために、詳細には記述されない。本明細書中に用いられ、かつ慣習的な、用語「遠位」は、ユーザ／臨床医から最も遠い部分を指し、用語「近位」は、ユーザ／臨床医から最も近い部分を指す。加えて、「上」、「下」、「前方」、「後方」などの用語は、図面の向きまたは構成要素の方向を指し、単に記述の便宜のために用いられる。
【００５０】
図１は、本明細書に従った、ＥＣＧアダプタシステム１００を組み込むＥＣＧモニタリングシステム１０を示す。ＥＣＧモニタリングシステム１０は、ＥＣＧモニタ２０と、ＥＣＧアダプタシステム１００を含み、該ＥＣＧアダプタシステムは、アダプタ１１０と１つ以上のＥＣＧリード線セット１２０および１３０とを含む。
【００５１】
ＥＣＧモニタ２０は、心臓および肺のシステムに関連した電気活動を示す情報を含む、生体電位信号を受信し、該情報をユーザディスプレイ２２に表示するように構成される。ＥＣＧモニタ２０は、少なくとも１つのリード線セット入力コネクタ２４を含み、該リード線セット入力コネクタは、少なくとも１つの互換性のあるＥＣＧリード線と接続するように構成される。
【００５２】
ＥＣＧアダプタシステム１００は、アダプタ１１０と、１つ以上のＥＣＧリード線セット１２０および１３０とを含む。各ＥＣＧリード線セット１２０および１３０は、少なくとも部分的にシース１４０によって囲繞された、複数のリード線ワイヤ１２０ａ〜ｅおよび１３０ａ〜ｅを含む。シース１４０は、物理的な損傷からリード線ワイヤ１２０ａ〜ｅおよび１３０ａ〜ｅを保護し得、または電気的な干渉からリード線ワイヤ１２０ａ〜ｅおよび１３０ａ〜ｅを遮蔽し得る。ＥＣＧアダプタシステム１００のシース１４０は、約２〜１０フィートの長さの間であり得る。
【００５３】
リード線ワイヤ１２０ａ〜ｅおよび１３０ａ〜ｅのうちの少なくとも一部分は、距離「ｄ」分、すなわち約２〜４０インチの間で、シース１４０から遠位的に延びている。リード線ワイヤ１２０ａ〜ｅの遠位端は、１つ以上の電極コネクタ１２１ａ〜ｅに接続し得る。電極コネクタは、電極コネクタ１２１ｅから離して示されているＥＣＧ電極１２２に接続するように構成される。あるいは、リード線ワイヤ１３０ａ〜ｅは、電極１５０ａ〜ｅに一体化され得る。１つ以上の電極１５０ａ〜ｅは、別個のリード線ワイヤ１３０ａ〜ｅのそれぞれの遠位端に結合され得、または電極が、別個のリード線ワイヤ１３０ａ〜ｅから形成され得る。
【００５４】
図３Ａ〜図３Ｄは、様々な電極コネクタ２２１ａ〜ｄを例示し、該コネクタは、リード線ワイヤ２２０ａ〜ｂの遠位端に装着または形成され得る。リード線ワイヤ２２０ａの遠位端は、電極コネクタ、例えばスナップコネクタ２２１ａ、ロッキングスロットコネクタ２２１ｃまたは栓穴コネクタ２２１ｄに装着し得る。あるいは、リード線ワイヤ２２０ｂの遠位端は、電極コネクタ、例えば、ダンベルコネクタ２２１ｂを形成し得る。加えて、当該分野に公知の標準的なスナップコネクタまたはピンチクリップコネクタが、リード線ワイヤの遠位端となり得る。
【００５５】
図３Ｅは、リード線ワイヤ２３０ａの遠位端に装着された電極２５０ａの模式図である。あるいは、図３Ｆに例示されるように、リード線ワイヤ２３０ｂの遠位端は、電極２５０ｂの伝導部分２５０ｃを形成し得る。
【００５６】
電極構成（例えば、電極コネクタ、予め配線され、かつ／または一体型となった電極）に関係なく、使用において、電極は、ＥＣＧリード線セット１２０および１３０に接続され、患者に配置され、生体電位信号を受信するように構成される。
【００５７】
リード線セットコネクタ１２１および１３１は、ＥＣＧリード線セット１２０および１３０の近位端に結合され、アダプタ１１０と結合するように構成される。アダプタ１１０は、少なくとも１つのリード線セットレセプタクル１１２ａおよび１１２ｂを含むことによって、リード線セットコネクタ１２１および１３１に電気的に結合する。アダプタ１１０は、ＥＣＧモニタ２０に、ＥＣＧアダプタシステム１００のＥＣＧリード線セット１２０および１３０を電気的に結合する。
【００５８】
シース１４０は、リード線セットコネクタ１２１および１３１に一体化され得、または適切なチューブ状の部材から形成され、リード線セットコネクタ１２１および１３１に結合され得る。
【００５９】
ＥＣＧリード線セット１２０および１３０は、複数の個別の線から形成され得、またはマルチコンダクタ遮蔽ケーブルまたはリボンケーブルなどの複数の線を含む、適切なケーブルから形成され得る。シース１４０は、ケーブル外被であり得、または複数の別個の線またはケーブルの一部分および／または全長を、少なくとも部分的に囲繞する別個のチューブ状の部材であり得る。
【００６０】
アダプタ１１０は、入力レセプタクル１１２を有するアダプタ本体１１１と、モニタプラグ１１３とを含む。入力レセプタクル１１２は、ＥＣＧリード線セット１２０および１３０のリード線セットコネクタ１２１および１３１に結合するように構成された、少なくとも１つのリード線セットレセプタクル１１２ａおよび１１２ｂを含む。モニタプラグ１１３は、ＥＣＧモニタ２０のリード線セット入力コネクタ２４に結合するように構成される。ＥＣＧリード線セット１２０および１３０のリード線セットコネクタ１２１および１３１は、アダプタ１１０のモニタプラグ１１３とは異なり、その結果として、リード線セット１２１および１３１は、ＥＣＧモニタ２０のリード線セット入力コネクタ２４に接続されるようには構成されていない。リード線セットコネクタ１２１および１３１とモニタプラグ１１３との間の違いは、リード線セットコネクタ１２１および１３１が、ＥＣＧモニタ２０のリード線セット入力コネクタ２４と機械的な互換性を有さず、および／または物理的に互換性を有さないようなものでなければならない。
【００６１】
アダプタ１１０のモニタプラグ１１３は、特定のＥＣＧモニタ２０に接続されるように構成され、モニタプラグ１１３が、ＥＣＧモニタ２０のリード線セット入力コネクタ２４と接続することを可能にするために必要な、任意の安全機能または独特／特別な外形を含み得る。別個で、かつ独特であり得るアダプタ１１０が、ＥＣＧモニタ２０のそれぞれに要求され得る。様々なアダプタ１１０のリード線セットレセプタクル１１２ａおよび１１２ｂは、それが接続するＥＣＧモニタ２０に関係なく、ＥＣＧリード線セット１２０および１３０のリード線セットコネクタ１２１および１３１を受け付けるように構成され得る。リード線セットレセプタクル１１２ａおよび１１２ｂは、モニタプラグ１１３に電気的に結合されることによって、さもなければＥＣＧモニタ２０と互換性を有さないＥＣＧリード線セット１２０および１３０を、ＥＣＧモニタ２０に接続する。アダプタ１１０は、ＥＣＧリード線セット１２０および１３０をＥＣＧモニタ２０と結合させるが、ここでは、ＥＣＧモニタ２０のリード線セット入力コネクタ２４と、ＥＣＧリード線セット１２０および１３０のリード線セットコネクタ１２１および１３１とは、アダプタ１１０なしでは互換性がない。
【００６２】
リード線セットコネクタ１２１および１３１およびそれぞれと嵌合するリード線セットレセプタクル１１２ａおよび１１２ｂは、標準的なコネクタで形成され得る。リード線セットコネクタ１２１および１３１、およびリード線セットレセプタクルは、現在のＥＣＧモニタと今のところ関連付けられていない、または用いられていないコネクタを用いて形成され、例えば、それらには限定されないが、電話通信産業において一般的に用いられるが今のところＥＣＧモニタとは関連付けられていないＲＪ４５およびＲＪ２５の電話線コネクタを含む。あるいは、リード線セットコネクタ１２１および１３１、およびリード線セットレセプタクル１１２ａおよび１１２ｂは、特にこの適用のために設計および／または構成され得る。
【００６３】
使用において、リード線セットコネクタ１２１および１３１は、それぞれのリード線セットレセプタクル１１２ａおよび１１２ｂに結合する。例えば、リード線セットコネクタ１２１は、ＲＪ２５コネクタであり得、アダプタレセプタクル１１２のＲＪ２５のリード線セットレセプタクル１１２ａに接続し得る。同様に、リード線セットコネクタ１３１は、ＲＪ４５コネクタであり得、アダプタレセプタクル１１２のＲＪ４５のリード線セットレセプタクル１１２ｂに接続し得る。モニタプラグ１１３は、ＥＣＧモニタ２０のリード線セット入力コネクタ２４に結合し、それによって電極コネクタ１２１ａ〜ｅおよび／または電極１５０ａ〜ｅをＥＣＧモニタ２０に電気的に接続する。さらなる代替案として、ＲＪ１１、ＲＪ１４およびＲＪ５０のリード線セットコネクタおよび対応するレセプタクルもまた、考えられる。
【００６４】
図１からのアダプタ１１０のバリエーションが、図２Ａ〜図２Ｃにおいて例示される。図２Ａにおいて、アダプタ２１０ａは、ＥＣＧモニタ２２０ａの入力コネクタ２２４ａに接続するように構成されたモニタリングプラグ２１３ａを含む。ＥＣＧモニタ２２０ａの入力コネクタ２２４ａは、１つ以上の種類のリード線セットをＥＣＧモニタ２２０ａに接続し得るリード線セットコネクタを受け付けるように構成され得、例えば、３本のリード線のリード線セット、５本のリード線のリード線セットおよび／または１２本のリード線のリード線セットに接続するように構成される。アダプタ２１０ａのリード線セットレセプタクル２１２ａもまた、単一の種類のリード線セットコネクタに接続するように構成され得、該リード線セットコネクタは、３本のリード線のリード線セット、５本のリード線のリード線セットおよび／または１２本のリード線のリード線セット、または他の種類のＥＣＧリード線セットに接続し得る。また、該レセプタクルは、本明細書中に記述されたＥＣＧリード線セットとして構成され得る。アダプタ２１０ａのラグ（ｌｕｇ）２１４は、ＥＣＧモニタ２２０ａのターミナル２２５ａに接続し得る。
【００６５】
図２Ｂにおいて、アダプタ２１０ｂは、２つのモニタリングプラグ２１３ｂおよび２１３ｃを含み、該モニタリングプラグは、ＥＣＧモニタ２２０ｂの第１の入力コネクタ２２４ｂと第２の入力コネクタ２２４ｃとに接続する。ＥＣＧモニタ２２０ｂの第１の入力コネクタ２２４ｂは、第１の種類のＥＣＧリード線セット、例えば３本のリード線のＥＣＧリード線セット、を受け付けるように構成され得、ＥＣＧモニタ２２０ｂの第２の入力コネクタ２２４ｃは、異なる種類のＥＣＧリード線セット、例えば５本のリード線のＥＣＧリード線セット、または１２本のリード線のＥＣＧリード線セットを受け付けるように構成され得る。アダプタ２１０ｂは、第１のリード線セットレセプタクル２１２ｂと第２のリード線セットレセプタクル２１２ｃを含み得、該レセプタクルは、本明細書中に記述された本開示のＥＣＧリード線セットに接続するように構成される。
【００６６】
図２Ｃにおいて、アダプタ２１０ｃは、アダプタ本体２１１と、１つ以上のモニタプラグ２１３ｄおよび２１３ｅを有する１つ以上の遠隔アダプタ本体２１１ａおよび２１１ｂとを含む。モニタプラグ２１３ｄおよび２１３ｅは、ＥＣＧモニタ２２０ｃの第１および第２の入力コネクタ２２４ｄおよび２２４ｅのそれぞれに接続するように構成される。第１および第２のアダプタ本体２１１ａおよび２１１ｂは、ケーブル２１５ａおよび２１５ｂ、または電気的および／または機械的な接続を形成する他の適切な手段を介して、アダプタ本体２１１に接続される。
【００６７】
本開示のアダプタを他の様々なＥＣＧモニタに接続するために要求されるモニタプラグの、他の適切なバリエーションは、本開示の範囲内と考えられる。
【００６８】
図４Ａは、ＥＣＧアダプタシステム３００のさらに別の実施形態であり、該アダプタシステムは、アダプタ３１０と、分離可能または引裂き可能なリボンケーブル３６０を有するＥＣＧリード線セット３３０とを含む。リード線セットコネクタ３２１は、リボンケーブル３６０の近位端に結合され、複数の電極３２１ａ〜ｅ、または複数の電極コネクタ（不図示）は、別個のリード線ワイヤ３２０ａ〜３２０ｅの遠位端に結合される。１つ以上の接着背面を有するスライダ３６１が、リボンケーブル３６０の一部分に滑動するように配置され得る。
【００６９】
アダプタ３１０は、アダプタ本体３１１と、入力レセプタクル３１２と、モニタリングプラグ３１３とを含む。入力レセプタクル３１２は、少なくとも１つのリード線セットレセプタクル３１２ａを含む。リード線セットレセプタクル３１２ａは、ＲＪ２５コネクタを受け付けるように構成され得、あるいは、他の任意の適切なレセプタクルまたはコネクタが、用いられ得る。モニタリングプラグ３１３は、ＥＣＧモニタ３２０の入力コネクタ３２４に接続するように構成される。
【００７０】
使用において、図４Ｂに例示されるように、１つ以上の別個のリード線ワイヤ３２０ａ〜３２０ｅの遠位部分は、リボンケーブル３６０を形成する１つ以上の残りのリード線ワイヤから分離されるか、または引き離され得るが、これは、リボンケーブル３６０から、または他の別個のリード線ワイヤ３２０ａ〜３２０ｅから分離した、別個のリード線ワイヤ３２０ａ〜３２０ｅの遠位部分を増やすためである。例えば、リード線ワイヤ３２０ｅおよび３２０ｄの遠位端は、リボンケーブル３６０からさらに分離され得ることによって、それぞれの電極３２１ｄおよび３２１ｅは、患者「ｐ」の下腹部「１ａ」に配置され得る。同様に、リード線ワイヤ３２０ｂおよび３２０ｃの遠位端は、互いからさらに引き離されることによって、それぞれの電極３２１ｂおよび３２１ｃは、上胸部「ｕｃ」の左側および右側に隣接して、患者「ｐ」に配置され得る。接着背面を有するスライダ３６１は、リボンケーブル３６０上に位置付けられ、患者「ｐ」に配置されることによって、患者「ｐ」上のＥＣＧアダプタシステム３００を固定し、かつ／またはリボンケーブル３６０のさらなる分離を防止する。
【００７１】
本開示のさらなる実施形態において、ＥＣＧアダプタシステム３００のリボンケーブル３６０は、複数の層を含むことによって、リボンケーブル３６０の線を電気的な干渉またはノイズから、電気的に遮蔽し得る。あるいは、リボンケーブル３６０を形成するリード線ワイヤ３２０ａ〜３２０ｅは、別個に遮蔽され得る。
【００７２】
本開示のいくつかの実施形態が、図面において示され、かつ／または本明細書中で論じられたが、本開示は、それらに限定されるようには意図されず、本開示が、当該分野において可能な限り範囲が広く、明細書もそのように読まれるように意図される。従って、上の記述は、限定的に解釈されるのではなく、特定の実施形態の単なる例示として解釈されるべきである。当業者は、他の修正を、本明細書に添付の特許請求の範囲の精神および範囲の内に構想されたい。
【符号の説明】
【００７３】
１０  ＥＣＧモニタリングシステム
２０  ＥＣＧモニタ
２２  ユーザディスプレイ
１００  ＥＣＧアダプタシステム
１１０  アダプタ
１２０、１３０  ＥＣＧリード線セット
１２０ａ〜ｅ、１３０ａ〜ｅ  リード線ワイヤ
１４０  シース
１５０ａ〜ｅ  電極
２２１ａ〜ｄ  電極コネクタ
【図１】
0005639206.tif 000002
【図２Ａ】
0005639206.tif 000003
【図２Ｂ】
0005639206.tif 000004
【図２Ｃ】
0005639206.tif 000005
【図３Ａ】
0005639206.tif 000006
【図３Ｂ】
0005639206.tif 000007
【図３Ｃ】
0005639206.tif 000008
【図３Ｄ】
0005639206.tif 000009
【図３Ｅ】
0005639206.tif 000010
【図３Ｆ】
0005639206.tif 000011
【図４Ａ】
0005639206.tif 000012
【図４Ｂ】
0005639206.tif 000013